(57)【要約】【課題】記録媒体に形成された記録領域毎に容量情報（残容量等）を取得し、取得した容量情報を統合することにより、記録媒体の残容量をユーザにわかりやすく表示出力する。【解決手段】録画再生装置１０は、リムーバブル記録媒体２２に形成された記録領域毎に容量情報を取得し、取得した容量情報を統合する容量情報管理部１８と、統合した情報に基づいてリムーバブル記録媒体２２の残容量を表示出力する表示部２１とを備える。リムーバブル記録媒体２２は、コンテンツを記録するための通常領域２２１と、コンテンツの暗号化情報を記録するためのセキュア領域２２２とを含んで構成され、容量情報管理部１８は、通常領域２２１のバイト数とセキュア領域２２２の暗号化情報の個数とに基づいて、各領域の残容量を算出・比較し、その比較結果に基づいて、各記録領域の容量情報を統合する。【選択図】図１
2008022100.tif 000002
【特許請求の範囲】
【請求項１】
記録媒体にコンテンツを記録し、記録した録画コンテンツの再生を行う録画再生装置において、
前記記録媒体に形成された記録領域毎に容量情報を取得する情報取得部と、該取得した容量情報を統合する情報統合部と、該統合した情報に基づいて前記記録媒体の残容量を表示出力する表示部とを備えていることを特徴とする録画再生装置。
【請求項２】
請求項１に記載の録画再生装置において、
前記記録媒体は、少なくとも１つの記録領域を使用するコンテンツを記録可能としたことを特徴とする録画再生装置。
【請求項３】
請求項１又は２に記載の録画再生装置において、
前記記録媒体は、コンテンツを記録するための通常領域と、該通常領域のコンテンツの利用条件と鍵を含む暗号化情報を記録するためのセキュア領域とを含んで構成され、
前記情報取得部は、前記通常領域のバイト数と前記セキュア領域の暗号化情報の個数とに基づいて、各領域の残容量を算出することを特徴とする録画再生装置。
【請求項４】
請求項１乃至３のいずれか１項に記載の録画再生装置において、
前記情報統合部は、前記情報取得部により取得された各記録領域の容量情報を比較し、その比較結果に基づいて、前記各記録領域の容量情報を統合することを特徴とする録画再生装置。
【請求項５】
記録媒体にコンテンツを記録し、記録した録画コンテンツの再生を行う録画再生装置において、
前記記録媒体に記録されたコンテンツ毎に少なくとも２つの記録情報を取得する情報取得部と、該取得した記録情報を統合する情報統合部と、該統合した情報に基づいて前記記録媒体の残容量を表示出力する表示部とを備えていることを特徴とする録画再生装置。
【請求項６】
請求項５に記載の録画再生装置において、
前記記録媒体は、少なくとも１つの記録情報を使用するコンテンツを記録可能としたことを特徴とする録画再生装置。
【請求項７】
請求項５又は６に記載の録画再生装置において、
前記記録媒体は、コンテンツを記録するための通常領域と、該通常領域のコンテンツの利用条件と鍵を含む暗号化情報を記録するためのセキュア領域とを含んで構成され、
前記情報取得部は、前記コンテンツのバイト数と暗号化情報の個数とに基づいて、各領域の記録済み容量を算出することを特徴とする録画再生装置。
【請求項８】
請求項５乃至７のいずれか１項に記載の録画再生装置において、
前記情報統合部は、前記情報取得部により取得された各コンテンツの記録情報を比較し、その比較結果に基づいて、前記各コンテンツの記録情報を統合することを特徴とする録画再生装置。
【請求項９】
請求項１乃至８のいずれか１項に記載の録画再生装置において、
前記記録媒体は、２以上の記録領域が形成され、
前記録画再生装置は、前記記録媒体の各記録領域にアクセスする手段を備えていることを特徴とする録画再生装置。
【請求項１０】
請求項１乃至９のいずれか１項に記載の録画再生装置において、
前記情報統合部により統合された前記記録媒体の残容量を通知するためのオンスクリーン情報を生成するＯＳＤ生成部を備え、
前記表示部は、前記ＯＳＤ生成部により生成されたオンスクリーン情報を表示出力することを特徴とする録画再生装置。
【請求項１１】
請求項１乃至９のいずれか１項に記載の録画再生装置において、
各種の情報を通知するための通知部を備え、
前記通知部は、前記情報統合部により統合された前記記録媒体の残容量が所定値以下になったときに、その旨を通知することを特徴とする録画再生装置。
【発明の詳細な説明】
【技術分野】
【０００１】
本発明は、録画再生装置、より詳細には、デジタル放送などのコンテンツを記録媒体に記録すると共に、記録媒体からコンテンツを読み込んで再生する機能を備えた録画再生装置に関する。
【背景技術】
【０００２】
テレビジョン放送等の映像信号を記録する記録再生装置としては、放送信号をデジタル信号形式のデータストリームとして扱って、ハードディスク（ＨＤＤ：Ｈａｒｄ  Ｄｉｓｋ  Ｄｒｉｖｅ）やデジタル多用途ディスク（ＤＶＤ：Ｄｉｇｉｔａｌ  Ｖｅｒｓａｔｉｌｅ  Ｄｉｓｋ）等のランダムアクセス可能なデジタル記録メディアに記録ストリーム（記録放送番組）として記録するデジタル録画再生装置が提案されている。
【０００３】
このデジタル録画再生装置に限ったことではないが、一般的に、これらのデジタル記録メディアを取り扱う場合、メディアの記録容量から録画するコンテンツに応じた記録可能時間を表示する機能が提供されている。
【０００４】
このような容量の表示に関しては、単純に媒体の容量を表示するものの他に、例えば、特許文献１のように、複数媒体の容量を統合して表示するものや、特許文献２のように、残容量を別データとして保持しておき、それを表示するものなどが知られている。
【０００５】
上記特許文献１に記載のデジタルカメラは、内部メモリと、記憶媒体が挿入可能な挿入部と、撮像された画像を内部メモリあるいは記憶媒体に記憶する記憶制御部と、内部メモリの残容量及び記憶媒体の残容量をともに表示する表示部とを備えて構成される。これにより、記憶制御部が内部メモリあるいは記憶媒体のいずれを対象として画像記憶を行っているかにかかわらず、デジタルカメラ全体の残容量を把握することができる。
【０００６】
また、上記特許文献２に記載の記録再生システムは、記録再生装置本体とリモートコントローラからなり、記録再生装置本体が、ディスクメディアに取り付けられたＲＦＩＤタグに記録される情報をリード／ライトする第１のＲＦＩＤリーダライタを備え、リモートコントローラが、ＲＦＩＤタグに記録される情報をリード／ライトする第２のＲＦＩＤリーダライタを備える。記録再生装置本体がディスクメディアに対して記録した画像／音声の内容に関する情報をＲＦＩＤにライトさせる。このディスクメディアをリモートコントローラに近づけることで、ＲＦＩＤタグに記録された情報を情報表示部に表示させる。
【０００７】
一方、デジタル放送などのデジタルデータを取り扱う場合、著作権を保護するための技術を具備した記録媒体で取り扱うことが必須となってきている。例えば、メモリスティック（登録商標）や、ＳＤカード（登録商標）、ｉＶＤＲ（ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）などの媒体は、それぞれ著作権保護技術であるＯｐｅｎＭＧ、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）、ＳＡＦＩＡ（Ｓｅｃｕｔｉｒｙ  Ａｒｃｈｉｔｅｃｔｕｒｅ  Ｆｏｒ  Ｉｎｔｅｌｌｉｇｅｎｔ  Ａｔｔａｃｈｍｅｎｔ  ｄｅｖｉｃｅ）によって保護されている。
【０００８】
これらの記録媒体は、著作権保護を実現するための仕組みとして、通常の方法ではアクセスすることのできないセキュア領域を有している場合が多く、そこにデータファイルやライセンスファイルなどを格納することで、著作権保護を行っている。
【０００９】
これらの媒体や技術ライセンスの取り扱いにあたって、例えば、ＳＡＦＩＡでは、暗号化した通常データを通常領域に記録し、それに対応した鍵と利用条件などをセットにしたライセンス（暗号化情報）が記録されている。
【００１０】
また、著作権保護にあたり、ＳＡＦＩＡではデータと対応するライセンス（暗号化情報）を分けて記録しているが、このライセンスに関して、１分ごとに鍵情報を更新するなどの配慮がなされ、このライセンスの個数などがメディアによって限定されている場合がある。
【００１１】
この場合、ライセンスの数は１分につき１つとなるため、例えば、個数を１２０個に制限した場合、１２０分（２時間）の記録ができることを示す。このように、データとライセンスを分けて管理することで、超流通への対応なども可能となる。
【特許文献１】特開２００３−２２４８０４号公報
【特許文献２】特開２００５−２６７７３１号公報
【発明の開示】
【発明が解決しようとする課題】
【００１２】
しかしながら、ライセンス（暗号化情報）の個数が決まっている場合、どんなに通常の領域における容量が余っていても、その個数に応じて記録できるデータの量が制限されてしまう。つまり、ライセンスの数、あるいは数に応じた時間に制限が設けられている場合、通常領域の記録容量とは関係なく、データを記録できる量が制限されることになる。
【００１３】
このときユーザに提示される情報としては、残りの記録可能時間などで表示されるため、個々の領域について別々の管理をしていては、これを使用するユーザにとって、混乱を招き、扱いづらくなる。このことは、前述の特許文献１、２に記載の発明によっても解決されない。
【００１４】
本発明は、上述のごとき実情に鑑みてなされたものであり、記録媒体に形成された記録領域毎に容量情報（残容量等）を取得し、取得した容量情報を統合することにより、記録媒体の残容量をユーザにわかりやすく表示出力できるようにすること、を目的とする。
【課題を解決するための手段】
【００１５】
上記課題を解決するために、本発明の第１の技術手段は、記録媒体にコンテンツを記録し、記録した録画コンテンツの再生を行う録画再生装置において、前記記録媒体に形成された記録領域毎に容量情報を取得する情報取得部と、該取得した容量情報を統合する情報統合部と、該統合した情報に基づいて前記記録媒体の残容量を表示出力する表示部とを備えていることを特徴としたものである。
【００１６】
第２の技術手段は、第１の技術手段において、前記記録媒体は、少なくとも１つの記録領域を使用するコンテンツを記録可能としたことを特徴としたものである。
【００１７】
第３の技術手段は、第１又は第２の技術手段において、前記記録媒体は、コンテンツを記録するための通常領域と、該通常領域のコンテンツの利用条件と鍵を含む暗号化情報を記録するためのセキュア領域とを含んで構成され、前記情報取得部は、前記通常領域のバイト数と前記セキュア領域の暗号化情報の個数とに基づいて、各領域の残容量を算出することを特徴としたものである。
【００１８】
第４の技術手段は、第１乃至第３のいずれか１の技術手段において、前記情報統合部は、前記情報取得部により取得された各記録領域の容量情報を比較し、その比較結果に基づいて、前記各記録領域の容量情報を統合することを特徴としたものである。
【００１９】
第５の技術手段は、記録媒体にコンテンツを記録し、記録した録画コンテンツの再生を行う録画再生装置において、前記記録媒体に記録されたコンテンツ毎に少なくとも２つの記録情報を取得する情報取得部と、該取得した記録情報を統合する情報統合部と、該統合した情報に基づいて前記記録媒体の残容量を表示出力する表示部とを備えていることを特徴としたものである。
【００２０】
第６の技術手段は、第５の技術手段において、前記記録媒体は、少なくとも１つの記録情報を使用するコンテンツを記録可能としたことを特徴としたものである。
【００２１】
第７の技術手段は、第５又は第６の技術手段において、前記記録媒体は、コンテンツを記録するための通常領域と、該通常領域のコンテンツの利用条件と鍵を含む暗号化情報を記録するためのセキュア領域とを含んで構成され、前記情報取得部は、前記コンテンツのバイト数と暗号化情報の個数とに基づいて、各領域の記録済み容量を算出することを特徴としたものである。
【００２２】
第８の技術手段は、第５乃至第７のいずれか１の技術手段において、前記情報統合部は、前記情報取得部により取得された各コンテンツの記録情報を比較し、その比較結果に基づいて、前記各コンテンツの記録情報を統合することを特徴としたものである。
【００２３】
第９の技術手段は、第１乃至第８のいずれか１の技術手段において、前記記録媒体は、２以上の記録領域が形成され、前記録画再生装置は、前記記録媒体の各記録領域にアクセスする手段を備えていることを特徴としたものである。
【００２４】
第１０の技術手段は、第１乃至第９のいずれか１の技術手段において、前記情報統合部により統合された前記記録媒体の残容量を通知するためのオンスクリーン情報を生成するＯＳＤ生成部を備え、前記表示部は、前記ＯＳＤ生成部により生成されたオンスクリーン情報を表示出力することを特徴としたものである。
【００２５】
第１１の技術手段は、第１乃至第９のいずれか１の技術手段において、各種の情報を通知するための通知部を備え、前記通知部は、前記情報統合部により統合された前記記録媒体の残容量が所定値以下になったときに、その旨を通知することを特徴としたものである。
【発明の効果】
【００２６】
本発明によれば、記録媒体に形成された記録領域毎に容量情報（残容量等）を取得し、取得した容量情報を統合することにより、記録媒体の残容量をユーザにわかりやすい時間情報などの形で表示出力することができるため、複数の記録領域が形成された記録媒体の残容量を一元的に管理することができる。
【発明を実施するための最良の形態】
【００２７】
以下、添付図面を参照しながら、本発明の録画再生装置に係る好適な実施の形態について説明する。なお、同じ機能を有する部分については同じ符号を付し、繰り返しの説明は省略するものとする。
【００２８】
（第１の実施形態）
図１は、本発明の第１の実施形態に係る録画再生装置の基本的な構成例を示すブロック図である。図１（Ａ）は録画再生装置の全体構成を示し、図１（Ｂ）は容量情報管理部の構成を示す。図中、１０は録画再生装置で、該録画再生装置１０は、リムーバブル記録媒体２２を着脱可能に接続するための外部入出力インタフェース（Ｉ／Ｆ）１１と、映像情報を入力するための受信部１２と、操作入力部２０からの操作信号を入力するユーザＩ／Ｆ１３と、録画再生装置１０を制御するＣＰＵやメモリ等を備えた制御部１４と、映像情報の暗号化用情報／復号化用情報を生成し、映像情報を暗号化／復号化する暗号化部１５と、映像情報を再生する再生部１６と、映像情報を一時的に保持するバッファ１７と、リムーバブル記録媒体２２の容量情報（残容量など）を管理する容量情報管理部１８と、ユーザの要求やストリームのデータ部の情報および容量情報管理部１８で生成された情報を示すＯＳＤ（Ｏｎ  Ｓｃｒｅｅｎ  Ｄｉｓｐｌａｙ）を生成するＯＳＤ生成部１９と、から構成されている。
【００２９】
また、操作入力部２０及び表示部２１は、録画再生装置１０と一体または外部接続されて配置される。また、リムーバブル記録媒体２２は、録画再生装置１０とは独立して、録画再生装置１０に着脱可能に配置される。尚、図中、点線の矢印は制御信号の流れ、実線の矢印はデータ信号の流れを示す。
【００３０】
図１（Ａ）における上記各部について詳細に説明する。外部入出力Ｉ／Ｆ１１は、録画再生装置１０とリムーバブル記録媒体２２を接続するためのインタフェースである。この外部入出力Ｉ／Ｆ１１は、リムーバブル記録媒体２２の着脱機構とデータの読み書きを行うインタフェースも保持している。受信部１２は、映像情報を入力するための手段であって、例えば、デジタル放送信号あるいはアナログ放送信号を受信するチューナや、ＩＥＥＥ１３９４インタフェースなどの入力手段、デジタルカメラからの入力手段などであってもよい。
【００３１】
ユーザＩ／Ｆ１３は、デジタル放送の選局や録画再生動作等の録画再生装置１０における動作の選択を行う部分である。制御部１４は、ユーザＩ／Ｆ１３からの入力に基づき、各構成部の制御を行う部分である。暗号化部１５は、映像情報の暗号化用情報／復号化情報を生成し、映像情報の暗号化／復号化を行う部分である。再生部１６は、映像情報の再生を行う部分である。バッファ１７は、受信または再生のための映像情報を一時的にためるためのバッファである。操作入力部２０は、ユーザが録画再生装置１０を操作するためのリモコンや本体操作部などの操作手段である。
【００３２】
リムーバブル記録媒体２２は、２以上の記録領域が形成され、本例では、コンテンツを記録するための通常領域２２１と、ライセンスを記録するためのセキュア領域２２２とに区別される。各領域の残容量に関する情報は外部入出力Ｉ／Ｆ１１を介して容量情報管理部１８に入力される。なお、ライセンスとは、通常領域２２１に記録されたコンテンツの利用条件と鍵を含む本発明の暗号化情報に相当するものである。
【００３３】
容量情報管理部１８は、リムーバブル記録媒体２２から取得される残容量情報を管理するための手段である。この容量情報管理部１８は、図１（Ｂ）に示すように、例えば、記録領域毎に容量情報を取得する容量情報取得部１８１，１８２と、容量情報取得部１８１，１８２で取得した容量情報を統合する容量情報統合部１８３とで構成される。ただし、容量情報取得部１８１，１８２は、リムーバブル記録媒体２２の領域毎に複数あってもよいし、領域の数に限らず、１つでまかなっても構わない。
【００３４】
容量情報統合部１８３は、容量情報取得部１８１，１８２により取得された各記録領域の容量情報を比較し、その比較結果に基づいて、各記録領域の容量情報を統合する処理を行う。例えば、通常領域２２１とセキュア領域２２２の残容量をそれぞれ時間に換算し、換算した残時間を比較する。その結果、例えば、大きいほうの残容量を採用し、これをＯＳＤ表示するようにしてもよい。
【００３５】
ＯＳＤ生成部１９は、ユーザの要求やストリームのデータ部の情報、および容量情報管理部１８で生成された情報を示すためのＯＳＤ（オンスクリーン情報）を生成する。表示部２１は、映像情報およびユーザＩ／Ｆ１３の操作により作成されるＯＳＤを表示するためのＬＣＤ（Ｌｉｑｕｉｄ  Ｃｒｙｓｔａｌ  Ｄｉｓｐｌａｙ）などのディスプレイである。リムーバブル記録媒体２２は、暗号化したコンテンツである映像情報を通常領域２２１に、その映像情報を利用するのに必要な暗号化情報であるライセンスをセキュア領域２２２に記録する。
【００３６】
外部入出力Ｉ／Ｆ１１は、リムーバブル記録媒体２２との間でデータの読み書きを行うインタフェースであり、本実施形態では、例えばＡＴＡ（ＡＴ  Ａｔｔａｃｈｍｅｎｔ）インタフェースを用いるが、ＵＳＢ（Ｕｎｉｖｅｒｓａｌ  Ｓｅｒｉａｌ  Ｂｕｓ）や、ＩＥＥＥ１３９４などのインタフェースを用いてもよい。また、受信部１２は、デジタル放送信号を受信するためのチューナである。
【００３７】
リムーバブル記録媒体２２へのデータの読み書きを行う外部入出力Ｉ／Ｆ１１と、デジタル放送信号の受信部１２と、映像情報のデコードを行う再生部１６などに関しては、商品化されている既存のデジタルハイビジョンレコーダなどと同様の機能を実現するものである。
【００３８】
操作入力部２０は、典型的には操作リモコンや、録画再生装置１０に具備されているボタンなどである。表示部２１は、例えば、液晶ディスプレイや、プラズマディスプレイ、ＥＬディスプレイなどのディスプレイ装置である。また、リムーバル記録媒体２２は、例えばリムーバブルハードディスクなどの外部記録媒体である。ただし、本実施形態では、記録媒体をリムーバブル記録媒体としているが、記録媒体はリムーバブルでなく録画再生装置１０に内蔵されているものなどでも構わない。
【００３９】
図２は、リムーバブル記録媒体２２におけるデータ構造の一例を示す図である。図中、リムーバブル記録媒体２２の通常領域２２１は、コンテンツファイル２２１ａと、コンテンツファイル２２１ｂと、これらコンテンツファイル２２１ａ，２２１ｂ以外の領域である残り通常領域２２１ｃとで構成される。また、リムーバブル記録媒体２２のセキュア領域２２２は、コンテンツファイル２２１ａに対応した暗号化情報セット２２２ａと、コンテンツファイル２２１ｂに対応した暗号化情報セット２２２ｂと、これら暗号化情報セット２２２ａ，２２２ｂ以外の領域である残りセキュア領域２２２ｃとで構成される。
【００４０】
上記の暗号化情報セットは、対応するコンテンツデータの一分につき、一回暗号鍵などが更新され、１２０個まで記録できる暗号化情報テーブルのうち、いくつまで使っているかを示す情報であるとする。この場合、コンテンツファイル２２１ａには、６つの暗号化情報が割り当てられていることになる。
【００４１】
また、コンテンツファイル（コンテンツデータ）は、通常領域２２１の記録可能バイト数がいっぱいになるまで記録することができ、一方、暗号化情報セットは、対応するコンテンツデータの一分につき、一回更新され、セキュア領域２２２に１２０個まで記録することができる。
【００４２】
このように割り当てたときに、通常領域２２１の残容量である残通常領域２２１ｃと、セキュア領域２２２の残容量である残セキュア領域２２２ｃとが作成され、それぞれバイト数と暗号化情報数で表すことが可能である。
【００４３】
通常領域２２１において、実際にコンテンツデータがあと何時間分記録できるかを示す残容量時間は、残りバイト数に対して、記録するコンテンツデータのビットレートから算出することができる。一方、セキュア領域２２２の残容量時間は、コンテンツデータに割り当てられた暗号化情報の個数から算出することができる。
【００４４】
図３は、リムーバブル記録媒体２２が備える通常領域２２１及びセキュア領域２２２からの残容量時間を示すためのデータテーブルの一例を示す図である。図３（Ａ）に示すように、通常領域２２１の残りバイト数を１０，０００Ｍバイトとした場合、ビットレートが２４Ｍｂｐｓであれば、残容量時間はおよそ０．９時間となり、ビットレートが１０Ｍｂｐｓであれば、残容量時間はおよそ２．２時間となる。また、図３（Ｂ）に示すように、セキュア領域２２２に記録可能な暗号化情報の残個数を６０個とした場合、残容量時間はおよそ１．０時間となる。この残容量時間の管理は、容量情報管理部１８により実行される。
【００４５】
図４は、本発明に係る録画再生装置１０によるシステム構成の一例を示す図である。図１に示した構成を持つ録画再生装置１０は、録画再生装置１０の外部出力映像を表示する表示部２１であるテレビジョン受像機と接続され、操作入力部２０であるリモートコントローラ（リモコン）により操作される。図中、表示部２１は、ＯＳＤを画面表示するためのＯＳＤ部２１ａを備える。また、録画再生装置１０は、１つ以上のＬＥＤ（発光ダイオード）で構成されたＬＥＤ部１０ａと、本体側の操作／表示部である操作パネル１０ｂとを備える。
【００４６】
図５は、リムーバブル記録媒体２２の領域毎の残容量時間を表示する処理の流れの一例を説明するためのフロー図である。ここでは、図４に示した録画再生装置１０に、リムーバブル記録媒体２２が挿入され、その残容量時間を表示するまでの処理について説明する。
【００４７】
まず、録画再生装置１０が備える制御部１４は、外部入出力Ｉ／Ｆ１１を介してリムーバブル記録媒体２２から、通常領域２２１の容量情報（残容量）とセキュア領域２２２の容量情報（残容量）を取得する（ステップＳ１）。次に、容量情報管理部１８は、取得した各領域の容量情報をそれぞれ同じ単位である残容量時間に変換する（ステップＳ２）。次に、容量情報管理部１８は、変換した残容量時間を比較するなどして、例えば、より残量が少ないほうに合わせた表示用時間情報を生成する（ステップＳ３）。
【００４８】
次に、ＯＳＤ生成部１９が、容量情報管理部１８で生成された表示用時間情報を表示するためのＯＳＤを生成する（ステップＳ４）。次に、ＯＳＤ生成部１９は、制御部１４からの指示に従って、生成したＯＳＤを再生部１６に送り（ステップＳ５）、再生部１６は、このＯＳＤをデコード処理し、表示部２１のＯＳＤ部２１ａに表示出力する（ステップＳ６）。
【００４９】
ここで、図５に示したフローにおけるステップＳ２、Ｓ３の残容量時間の統合と表示用時間情報の作成に関して説明する。ここでは、通常領域とセキュア領域から、それぞれ残りバイト数と、残りの記録可能な暗号情報数を取得し、それらに基づく残容量をそれぞれ別の手段で同じ基準となる時間情報に置き換えて、その大小によって、少ないほうを統合した残容量時間として表示するための情報を作成している。
【００５０】
本実施形態では、単純に数値の大小で残時間を比較して表示する情報を作成しているが、作成方法はこれに限らず、数値の大きいものを作成しても構わないし、表示も両方同時に表示し、少ないほうを強調表示するなどしても良い。
【００５１】
図６は、ＯＳＤ表示される残容量時間の一例を示す図である。図６（Ａ）は残時間を統合し残時間の大きいものを文字表示した例を示す。ここでは、通常領域の残時間が０．９時間、セキュア領域の残時間が１時間であるため、残時間の大きいセキュア領域の１時間が文字表示されている。
【００５２】
図６（Ｂ）は残時間を領域毎に文字表示した例を示す。ここでは、通常領域の残時間が０．９時間、セキュア領域の残時間が１時間であり、両方の残時間を同時に文字表示すると共に、残時間の小さい通常領域の０．９時間を明示的に示している。
【００５３】
図６（Ｃ）は残時間と総記録可能時間を統合し残時間の大きいものを文字表示した例を示す。ここでは、通常領域の残時間が０．９時間、セキュア領域の残時間が１時間であるため、残時間の大きいセキュア領域の１時間とセキュア領域の総記録可能時間である２時間がまとめて文字表示されている。
【００５４】
図６（Ｄ）は残時間と総記録可能時間を領域毎に文字表示した例を示す。ここでは、通常領域の残時間及び総記録可能時間が０．９時間／２時間、セキュア領域の残時間及び総記録可能時間が１時間／２時間であり、両方の残時間及び総記録可能時間を同時に文字表示すると共に、残時間の小さい通常領域の０．９時間／２時間を明示的に示している。
【００５５】
図６（Ｅ）は残時間（及び総記録可能時間）を統合し残時間の大きいものをグラフィック表示した例を示す。ここでは、通常領域の残時間が０．９時間、セキュア領域の残時間が１時間であるため、残時間の大きいセキュア領域の１時間とセキュア領域の総記録可能時間である２時間がまとめてグラフィック表示されている。
【００５６】
図６（Ｆ）は残時間（及び総記録可能時間）を領域毎にグラフィック表示した例を示す。ここでは、通常領域の残時間及び総記録可能時間が４０分／２時間、セキュア領域の残時間及び総記録可能時間が８０分／２時間であり、両方の残時間及び総記録可能時間が区別可能なように同時にグラフィック表示されている。
【００５７】
図６に示す表示例は、これらの形式に限定されるものではなく、文字及び／又はグラフィックを用いて、取得した残容量情報をユーザに提示する手法であればよく、例えば、図７に示すように文字とグラフィックの組み合わせなどであってもよい。
【００５８】
図７（Ａ）は残時間を統合し残時間の大きいものを文字及びグラフィック表示した例を示す。ここでは、通常領域の残時間が０．９時間、セキュア領域の残時間が１時間であるため、残時間の大きいセキュア領域の１時間が文字及びグラフィック表示されている。
【００５９】
図７（Ｂ）は残時間を領域毎に文字及びグラフィック表示した例を示す。ここでは、通常領域の残時間が４０分、セキュア領域の残時間が８０分であり、両方の残時間を同時に文字及びグラフィック表示すると共に、残時間の小さい通常領域の４０分を明示的に示している。
【００６０】
図７（Ｃ）は残時間と総記録可能時間を統合し残時間の大きいものを文字及びグラフィック表示した例を示す。ここでは、通常領域の残時間が０．９時間、セキュア領域の残時間が１時間であるため、残時間の大きいセキュア領域の１時間とセキュア領域の総記録可能時間である２時間がまとめて文字及びグラフィック表示されている。
【００６１】
図７（Ｄ）は残時間と総記録可能時間を領域毎に文字及びグラフィック表示した例を示す。ここでは、通常領域の残時間及び総記録可能時間が４０分／２時間、セキュア領域の残時間及び総記録可能時間が８０分／２時間であり、両方の残時間及び総記録可能時間を同時に文字及びグラフィック表示すると共に、残時間の小さい通常領域の４０分／２時間を明示的に示している。
【００６２】
本実施形態において説明しなかった部分（通常のコンテンツの記録再生や暗号化、表示など）に関しては、既存のデジタルハイビジョンレコーダにおいて実現されている方法と同様の方法で実現できる。
【００６３】
また、図４に示した構成で、ＯＳＤによる画面表示以外に、ＬＥＤや音声などで通知しても構わない。その場合、図６及び図７に示したＯＳＤ表示と組み合わせてもよいし、組み合わせずに個別に使ってもよい。この場合、システム構成としては、図１に示したＯＳＤ生成部１９とは別に、各通知用のデータ生成部と、それを出力するための出力制御部と、ＬＥＤや音声などの通知部とが必要になる。
【００６４】
図８は、本発明に係る録画再生装置１０の他の構成例を示すブロック図である。図中、録画再生装置１０は、図１に示したＯＳＤ生成部１９の代わりに、通知用のデータを生成するためのデータ生成部２３と、生成したデータの出力処理を制御する出力制御部２４と、ユーザに対して各種通知を行うためのＬＥＤやスピーカなどの通知部２５と、を備えて構成される。なお、上記構成以外であってもよく、例えば、ＯＳＤ生成部１９を備え、さらに、データ生成部２３、出力制御部２４、及び通知部２５を備える構成としてもよい。
【００６５】
通知部２５は、容量情報管理部１８（容量情報統合部１８３）により統合されたリムーバブル記録媒体２２の残容量が所定値以下になったときに、その旨を通知する。通知方法としては、例えば、ＬＥＤを点滅させたり、警告音や音声を出力させたり、本体操作パネルの表示部にメッセージを表示させるなど、種々考えられる。
【００６６】
以上の説明において、記録するコンテンツが、通常領域とセキュア領域の両方を使用して記録する場合を例示してきたが、例えば、暗号化情報がなく、通常領域のみを使用して記録するコンテンツであってもよい。この場合は、図９に示す処理フローとなり、使用する領域に応じて記録するための残容量表示を切り替えるようにしてもよい。
【００６７】
すなわち、記録対象が暗号化を必要とするコンテンツである場合、２つの残容量情報から統合した残容量を表示し、一方、暗号化を必要としないコンテンツを記録対象とした場合、１つの残容量情報のみを表示するようにしてもよい。この場合、表示の切替は、制御部１４の制御での自動切換えでも、ユーザがリモコンなどの操作入力部２０から指示をして切り換えても構わない。
【００６８】
図９は、リムーバブル記録媒体２２の領域毎の残容量時間を表示する処理の流れの他の例を説明するためのフロー図である。ここでは、図４に示した録画再生装置１０に、リムーバブル記録媒体２２が挿入され、その残容量時間を表示するまでの処理について説明する。
【００６９】
まず、録画再生装置１０が備える制御部１４は、リムーバブル記録媒体２２に記録されているコンテンツが、暗号化情報の必要なコンテンツかどうかを判断する（ステップＳ１１）。
【００７０】
ステップＳ１１において、暗号化情報の必要なコンテンツの場合（ＹＥＳの場合）、前述の図５に示した処理フローと同様に、リムーバブル記録媒体２２から、通常領域２２１の容量情報（残容量）とセキュア領域２２２の容量情報（残容量）を取得する（ステップＳ１２）。次に、容量情報管理部１８は、取得した各領域の容量情報をそれぞれ同じ単位である残容量時間に変換する（ステップＳ１３）。次に、容量情報管理部１８は、変換した残容量時間を比較するなどして、例えば、より残量が少ないほうに合わせた表示用時間情報を生成する（ステップＳ１４）。
【００７１】
次に、ＯＳＤ生成部１９が、容量情報管理部１８で生成された表示用時間情報を表示するためのＯＳＤを生成する（ステップＳ１５）。次に、ＯＳＤ生成部１９は、制御部１４からの指示に従って、生成したＯＳＤを再生部１６に送り（ステップＳ１６）、再生部１６は、このＯＳＤをデコード処理し、表示部２１のＯＳＤ部２１ａに表示出力する（ステップＳ１７）。
【００７２】
一方、ステップＳ１１において、暗号化情報の必要なコンテンツでない場合（ＮＯの場合）、リムーバブル記録媒体２２から、通常領域２２１の容量情報（残容量）を取得する（ステップＳ１８）。次に、容量情報管理部１８は、取得した通常領域の容量情報を残容量時間に変換し、変換した残容量時間から表示用時間情報を生成する（ステップＳ１９）。
【００７３】
次に、ＯＳＤ生成部１９が、容量情報管理部１８で生成された表示用時間情報を表示するためのＯＳＤを生成する（ステップＳ２０）。次に、ＯＳＤ生成部１９は、制御部１４からの指示に従って、生成したＯＳＤを再生部１６に送り（ステップＳ２１）、再生部１６は、このＯＳＤをデコード処理し、表示部２１のＯＳＤ部２１ａに表示出力する（ステップＳ２２）。
【００７４】
（第２の実施形態）
図１０は、本発明の第２の実施形態に係る装置構成例を示すブロック図である。図中、１８′は記録情報管理部で、該記録情報管理部１８′は、記録情報取得部１８１′、１８２′、及び記録情報統合部１８３′を備えて構成される。本実施形態における録画再生装置は、図１に示した容量情報管理部１８の代わりに、記録情報管理部１８′を備え、その他の構成は図１に示した構成と同様とする。
【００７５】
前述の第１の実施形態においては、残容量を、記録対象とする記録媒体で設定されたバイト数や暗号化情報の個数で説明してきたが、このようなものに限らなくてもよい。例えば、記録媒体ではなく、コンテンツそのものの暗号化情報の個数を定め、コンテンツ単位での記録時間の残時間を同じようにして表示するようにしてもよい。
【００７６】
図１０において、記録情報取得部１８１′、１８２′は、リムーバブル記録媒体２２に記録されたコンテンツ毎に少なくとも２つの記録情報を取得し、記録情報統合部１８３′は、記録情報取得部１８１′、１８２′で取得された記録情報を統合する。表示部２１は、記録情報統合部１８３′で統合されたリムーバブル記録媒体２２の残容量をコンテンツ単位で表示する。なお、コンテンツの記録情報とは、例えば、コンテンツ容量（バイト数）と、コンテンツに割り当てられた暗号化情報の個数とをいう。もちろん、暗号化情報の必要ない、すなわち、１つの記録情報のみを使用するコンテンツを対象としてもよい。
【００７７】
第１の実施形態では、リムーバブル記録媒体２２に形成された各記録領域の残容量に基づいてリムーバブル記録媒体２２の残容量を求めたのに対して、第２の実施形態では、コンテンツ容量、すなわち各記録領域の記録済み容量に基づいてリムーバブル記録媒体２２の残容量を求めるようにしている。求めた残容量の出力方法は、第１の実施形態と同様に、残容量を時間に換算した残時間情報をＯＳＤ表示する方法や、ＬＥＤや音声などの各種通知による方法などを用いることができる。
【００７８】
以上説明したように、本発明によれば、記録媒体に形成された記録領域毎に容量情報（残容量等）を取得し、取得した容量情報を統合することにより、記録媒体の残容量をユーザにわかりやすい時間情報などの形で表示出力することができるため、複数の記録領域が形成された記録媒体の残容量を一元的に管理することができる。
【図面の簡単な説明】
【００７９】
【図１】本発明の第１の実施形態に係る録画再生装置の基本的な構成例を示すブロック図である。
【図２】リムーバブル記録媒体におけるデータ構造の一例を示す図である。
【図３】リムーバブル記録媒体が備える通常領域及びセキュア領域からの残容量時間を示すためのデータテーブルの一例を示す図である。
【図４】本発明に係る録画再生装置によるシステム構成の一例を示す図である。
【図５】リムーバブル記録媒体の領域毎の残容量時間を表示する処理の流れの一例を説明するためのフロー図である。
【図６】ＯＳＤ表示される残容量時間の一例を示す図である。
【図７】ＯＳＤ表示される残容量時間の他の例を示す図である。
【図８】本発明に係る録画再生装置の他の構成例を示すブロック図である。
【図９】リムーバブル記録媒体の領域毎の残容量時間を表示する処理の流れの他の例を説明するためのフロー図である。
【図１０】本発明の第２の実施形態に係る装置構成例を示すブロック図である。
【符号の説明】
【００８０】
１０…録画再生装置、１１…外部入出力Ｉ／Ｆ、１２…受信部、１３…ユーザＩ／Ｆ、１４…制御部、１５…暗号化部、１６…再生部、１７…バッファ、１８…容量情報管理部、１９…ＯＳＤ生成部、２０…操作入力部、２１…表示部、２２…リムーバブル記録媒体、２３…データ生成部、２４…出力制御部、２５…通知部、１８１，１８２…容量情報取得部、１８３…容量情報統合部、２２１…通常領域、２２２…セキュア領域、１８′…記録情報管理部、１８１′，１８２′…記録情報取得部、１８３′…記録情報統合部。
【図１】
2008022100.tif 000003
【図２】
2008022100.tif 000004
【図３】
2008022100.tif 000005
【図４】
2008022100.tif 000006
【図５】
2008022100.tif 000007
【図６】
2008022100.tif 000008
【図７】
2008022100.tif 000009
【図８】
2008022100.tif 000010
【図９】
2008022100.tif 000011
【図１０】
2008022100.tif 000012